(57)【要約】【課題】電源を不要とし、例えばガスや液体などを流体通路から吸引又は吐出することができる流体の吸引装置及び流体の吐出装置を提供する。【解決手段】所定流速の排ガス１１が通過する流体通路１２と、流体通路１２内に配置され、排ガス１１の流れに直交する回転軸２１を有し、流体１１の流れにより連れ回って回転する複数の御椀状の杯２２と、前記杯２２の回動により回転され、吸い込み流れ２３を形成する回転翼２４を有する筒状の吸引部２５と、前記吸引部２５に接続され、前記回転翼２４の吸い込み流れにより吸引された排ガス１１を送給する流体送給管２６と、を具備する。【選択図】図２
2014232018.tif 000002
【特許請求の範囲】
【請求項１】
所定流速の流体が通過する流体通路と、
前記流体通路内に挿入され、前記流体の流れに直交する回転軸を有し、前記流体の流れにより連れ回って回転する複数の御椀状の杯と、
前記杯の回動により回転され、吸い込み流れを形成する回転翼を有する吸引部と、
前記吸引部に接続され、前記回転翼の吸い込み流れにより吸引された流体を送給する流体送給管と、を具備することを特徴とする流体の吸引装置。
【請求項２】
請求項１において、
前記流体送給管に介装され、前記杯の回動により回転され、吸い込み流れを形成する中間回転翼を有する中間吸引部を備えることを特徴とする流体の吸引装置。
【請求項３】
所定流速の流体が通過する流体通路と、
前記流体通路内に挿入され、前記流体の流れに直交する回転軸を有し、前記流体の流れにより連れ回って回転する複数の御椀状の杯と、
前記杯の回動により回転され、吐出流れを形成する回転翼を有する吐出部と、
前記吐出部の前記回転翼の吐出流れにより吐出される流体を送給する流体送給管と、を具備することを特徴とする流体の吐出装置。
【請求項４】
請求項３において、
前記流体送給管に介装され、前記杯の回動により回転され、吐出流れを形成する中間回転翼を有する中間吐出部を備えることを特徴とする流体の吐出装置。
【発明の詳細な説明】
【技術分野】
【０００１】
本発明は、例えばガスや液体などを流体通路から吸引又は吐出することができる流体の吸引装置及び流体の吐出装置に関するものである。
【背景技術】
【０００２】
例えば、ボイラなどの燃焼装置排ガスやＩＧＣＣ製造の石炭ガス化ガスと高炉ガスなどのＧＴＣＣ燃料ガス、海水淡水化装置、工場排水に対する各種計測やモニタリング・分流する配管などにおいて、排ガスや排水が通過する流体通路から流体を吸引する場合には、吸引ポンプを用いてサンプリングを行っている（特許文献１）。
【先行技術文献】
【特許文献】
【０００３】
【特許文献１】特開２００１−３０５０５６号公報
【発明の概要】
【発明が解決しようとする課題】
【０００４】
しかしながら、現状、ガス中、液中の計測対象試料の計測・測定や工場流体の分流においては、下記の問題がある。
１）  例えばポンプ、ブロワー、スクリュー、汲み取り機などは、流量の安定に確保可能なもののすべてに電源が必要である。
２）  電源の設置や接続ができない場所においては、電源確保にディーゼル発電機を別途運び入れることが必要である。
【０００５】
また、プラント設備において、防爆エリア内に分析手段を設置する場合では、特に電源手段に防爆対策を施す必要がり、分析機器本体以外に、防爆対策に費用が嵩むという、問題がある。
【０００６】
よって、電源を必要とせず、例えば排ガスなどを吸引してサンプリングできる吸引可能な装置、または吐出可能な装置の出現が切望されている。
【０００７】
本発明は、前記問題に鑑み、電源を不要とし、例えばガスや液体などを流体通路から吸引又は吐出することができる流体の吸引装置及び流体の吐出装置を提供することを課題とする。
【課題を解決するための手段】
【０００８】
上述した課題を解決するための本発明の第１の発明は、所定流速の流体が通過する流体通路と、前記流体通路内に挿入され、前記流体の流れに直交する回転軸を有し、前記流体の流れにより連れ回って回転する複数の御椀状の杯と、前記杯の回動により回転され、吸い込み流れを形成する回転翼を有する吸引部と、前記吸引部に接続され、前記回転翼の吸い込み流れにより吸引された流体を送給する流体送給管と、を具備することを特徴とする流体の吸引装置にある。
【０００９】
第１の発明によれば、流体の流れに連れて連れ回る杯の回転により、吸い込み流れを形成する回転翼を回動するので、電源不要として、流体を流体送給管内に導入することができる。
【００１０】
第２の発明は、第１の発明において、前記流体送給管に介装され、前記杯の回動により回転され、吸い込み流れを形成する中間回転翼を有する中間吸引部を備えることを特徴とする流体の吸引装置にある。
【００１１】
第２の発明によれば、流体の流れに連れ回る杯の回転により、吸い込み流れを形成する中間回転翼を回動するので、流体送給管内の流速を維持しつつ送給することができる。
【００１２】
第３の発明は、所定流速の流体が通過する流体通路と、前記流体通路内に挿入され、前記流体の流れに直交する回転軸を有し、前記流体の流れにより連れ回って回転する複数の御椀状の杯と、前記杯の回動により回転され、吐出流れを形成する回転翼を有する吐出部と、前記吐出部の前記回転翼の吐出流れにより吐出される流体を送給する流体送給管と、を具備することを特徴とする流体の吐出装置にある。
【００１３】
第３の発明によれば、流体の流れに連れ回る杯の回転により、吐出流れを形成する回転翼を回動するので、電源不要として、流体を流体送給管から流体通路内に吐出することができる。
【００１４】
第４の発明は、第３の発明において、前記流体送給管に介装され、前記杯の回動により回転され、吐出流れを形成する中間回転翼を有する中間吐出部を備えることを特徴とする流体の吐出装置にある。
【００１５】
第４の発明によれば、流体の流れに連れて連れ回る杯の回転により、吐出流れを形成する中間回転翼を回動するので、流体送給管内の流速を維持しつつ吐出することができる。
【発明の効果】
【００１６】
本発明によれば、流体の流れに連れて連れ回る杯の回転により、吸い込み流れ又は吐出流れを形成する回転翼を回動するので、電源不要として、流体を流体送給管内に導入することができる。
【図面の簡単な説明】
【００１７】
【図１】図１は、実施例１に係る流体の吸引装置を備えたガス採取装置の概略図である。
【図２】図２は、実施例１に係る流体の吸引装置の概略図である。
【図３】図３は、図２のＡ−Ａ線断面図である。
【図４】図４は、実施例１に係る他の流体の吸引装置の概略図である。
【図５】図５は、実施例２に係る流体の吸引装置及び吐出装置を備えたガス採取装置の概略図である。
【図６】図６は、実施例２に係る流体の吐出装置の概略図である。
【図７】図７は、実施例２に係る他の流体の吸引装置の概略図である。
【発明を実施するための形態】
【００１８】
以下に添付図面を参照して、本発明の好適な実施例を詳細に説明する。なお、この実施例により本発明が限定されるものではなく、また、実施例が複数ある場合には、各実施例を組み合わせて構成するものも含むものである。
【実施例１】
【００１９】
図１は、実施例１に係る流体の吸引装置を備えたガス採取装置の概略図である。図２は、実施例１に係る流体の吸引装置の概略図である。図３は、図２のＡ−Ａ線断面図である。
図１に示すように、本実施例に係る流体の吸引装置を備えたガス採取装置１００Ａは、流体である排ガス１１が通過する流体通路１２内に設けた流体の吸引装置１０と、ガス採取装置１００Ａで採取された排ガス１１を送給する流体送給管２６と、流体送給管２６に介装された三方弁４１と、採取された排ガス１１を吸収する吸収ビン４２と、排ガス１１のガス流量を計測するガスメータ４３とを具備するものである。
【００２０】
本実施例の流体の吸引装置１０は、所定流速の排ガス１１が通過する流体通路内に配置され、排ガス１１の流れに直交する回転軸２１を有し、流体１１の流れにより連れ回って回転する複数の御椀状の杯２２と、
前記杯２２の回動により回転され、吸い込み流れ２３を形成する回転翼２４を有する筒状の吸引部２５と、前記吸引部２５に接続され、前記回転翼２４の吸い込み流れ２３により吸引された排ガス１１を送給する流体送給管２６と、を具備するものである。
【００２１】
杯２２は、回転軸２１から支持部材２２ａにより支持されており、この杯２２は、排ガス１１の流れにより回転される。そして、この杯２２の回転により、回転軸２１に支持される回転翼２４が連れ回る。
この回転翼２４は、流体通路１２から吸引部２５内に吸い込み流れ２３を形成する翼としている。
【００２２】
この回転翼２４の回転により排ガス１１が吸引部２５内に導入され、その後流体送給管２６内に導入され、本実施例では、吸収ビン４２内の吸収液４２ａ内に排出される。なお、回転軸２１は、ベアリング２８などの軸受手段に支持されている。
【００２３】
本実施例によれば、電源を必要とせずに、流体そのものの流れで吸引部２５内の回転翼２４を回転させて、排ガス１１を吸引することができる。
【００２４】
この結果、プラント設備などの現場において、電源を使用しない吸引が可能となる。流体は気体に限定されず、液体でも適用が可能である。
これにより、ガス計測、モニタリング用サンプルの採取、流体の分流などに適用可能となる。
【００２５】
特に防爆制約の設備内（例えばＩＧＣＣ、ＧＴＣＣ、ＬＰＧ,ＬＮＧ、セルガス設備など）で安価な防爆対策装置を構成することができる。
【００２６】
第１の発明によれば、流体の流れに連れて連れ回る杯の回転により、吸い込み流れ２３を形成する回転翼２４を回動するので、電源不要として、流体を流体送給管２６内に導入することができる。
【００２７】
図４は、実施例１に係る他の流体の吸引装置の概略図である。
図４に示すように、実施例１の流体送給管２６に介装され、杯２２の回動により回転され、吸い込み流れ２３を形成する中間回転翼２４ａを有する中間吸引部２５ａを備えており、吸い込み流れ２３の流速の低下を防止している。
よって、この中間吸引部２５ａを複数設置することで、所定距離離れた場所の分析手段に排ガス１１の流速を維持しつつ送給することができることとなる。
【実施例２】
【００２８】
図５は、実施例２に係る流体の吸引装置及び吐出装置を備えたガス採取装置の概略図である。図６は、実施例２に係る流体の吐出装置の概略図である。なお、実施例１に係るシステムの構成と重複する部材には同一符号を付してその説明は省略する。
実施例１のガス採取装置１００Ａでは、採取した排ガス１１をそのまま排気していたが、本実施例のガス採取装置１００Ｂでは、外部に排気できない場合に、流体通路１２内に戻すようにしている。
流体送給管２６が流体通路１２内に戻すループを形成し、この流体通路１２に流体の吐出装置３０を設けている。
【００２９】
本実施例に係る流体の吐出装置３０は、所定流速の排ガス１１が通過する流体通路１２と、流体通路１２内に配置され、流体１１の流れに直交する回転軸２１を有し、流体１１の流れにより連れ回って回転する複数の御椀状の杯２２と、杯２２の回動により回転され、吐出流れ３１を形成する回転翼３２を有する吐出部３３と、前記吐出部３３の前記回転翼３２の吐出流れ３１により吐出される流体１１を送給する流体送給管２６と、を具備するものである。
【００３０】
本実施例では、実施例１の吸引部２５の回転翼２４とその翼の向きを逆とすることで、吸引ではなく、吐出流れ３１を形成することとなる。
【００３１】
本実施例によれば、排ガス１１の流れに連れ回る杯２２の回転により、吐出流れ３１を形成する回転翼３２を回動するので、電源不要として、吸引ビン４２から排出された排ガス１１を流体送給管２６から流体通路１２内に吐出することができる。
【００３２】
図７は、実施例２に係る他の流体の吸引装置の概略図である。
また、図７に示すように、実施例１と同様に、流体送給管２６に介装され、前記杯２２の回動により回転され、吐出流れ３１を形成する中間回転翼３２ａを有する中間吐出部３３ａを備えるようにしてもよい。
【００３３】
この結果、排ガス１１の流れに連れ回る杯２２の回転により、吐出流れ３１を形成する中間回転翼３２ａを回動するので、流体送給管２６内の流速を維持しつつ吐出することができる。
【００３４】
本実施例では、本発明の流体の吸引装置及び吐出装置をガス採取装置に適用しているが、本発明はこれに限定されず、流体として、ガス体以外に水や油などの液体に適応でき、例えば排ガス計測、燃料ガス計測、排水計測、燃料油計測、潤滑油計測、薬注装置、ガスポンプ、水ポンプ、室内換気、蒸気計測などの各種装置の流体の吸引または吐出に適用することができる。
【符号の説明】
【００３５】
１００Ａ、１００Ｂ  ガス採取装置
１０  流体の吸引装置
１１  排ガス
１２  流体通路
２１  回転軸
２２  杯
２３  吸い込み流れ
２４  回転翼
２５  吸引部
２６  流体送給管
３１  吐出流れ
３２  回転翼
３３  吐出部
【図１】
2014232018.tif 000003
【図２】
2014232018.tif 000004
【図３】
2014232018.tif 000005
【図４】
2014232018.tif 000006
【図５】
2014232018.tif 000007
【図６】
2014232018.tif 000008
【図７】
2014232018.tif 000009